(57)【要約】【課題】必要時に香りを強くすることができる香り付きティシュペーパー収納体を提供する。【解決手段】  収納箱の上面内側面に、香料及び香料含有マイクロカプセルの少なくとも一方を含むゼラチンゲルがフィルムシート間に封入され、そのフィルムシートの少なくとも一方のフィルムシートに香料透過孔が形成されている芳香シート材を、その微細孔を有するフィルムシート側がティシュペーパーの束に向くようにして、貼付したティシュペーパー収納体により解決される。【選択図】図５
2015168437.tif 000002
【特許請求の範囲】
【請求項１】
上面と底面とこれらに連接する一対の長側面及び短側面とを有する直六面体形状の箱体と、この箱体に形成された開封用ミシン目線と、この開封用ミシン目線で囲まれる範囲内にスリットが位置するようにして貼付されているスリット付きフィルムとを有する収納箱に、複数のティシュペーパーが折り畳まれ積層されてなる束が収納されているティシュペーパー収納体であって、
前記スリット付きフィルムとは別に、
香料及び香料含有マイクロカプセルの少なくとも一方を含むゼラチンゲルがフィルムシート間に封入され、そのフィルムシートの少なくとも一方のフィルムシートに香料透過孔が形成された芳香シート材が、
前記香料透過孔を有するフィルムシート側がティシュペーパーの束に向けてかつ収納箱の少なくとも上面の内側面を含む範囲に貼付されている、ことを特徴とするティシュペーパー収納体。
【請求項２】
前記香料透過孔の大きさが、直径１０〜１００μｍである請求項１記載のティシュペーパー収納体。
【請求項３】
前記ゼラチンゲルが、温度３０〜４０℃でゾル化するものである請求項１又は２記載のティシュペーパー収納体。
【請求項４】
前記フィルムシートが、ポリエチレンフィルム、ポリプロピレンフィルム、ポリエチレンテレフタレートフィルム、ポリスチレンフィルム、エチレン−ビニルアルコール共重合体フィルムの何れかである請求項１〜３のティシュペーパー収納体。
【発明の詳細な説明】
【技術分野】
【０００１】
本発明は、香り付きのティシュペーパー収納体に関する。
【背景技術】
【０００２】
複数枚のティシュペーパーを折り畳み重ねた束を、カートンとも称される直六面体形状の収納箱に収納したティシュペーパー収納体は良く知られるが、このティシュペーパー収納体の中には香り付きのものがある。
【０００３】
香り付きティシュペーパー収納体は、旧来、マイクロカプセルに香料を封入した香料含有マイクロカプセルをティシュペーパーに塗布して香り付きティシュペーパーとすることが行なわれていた。
【０００４】
しかし、この方法は、ティシュペーパーへ塗布する際における香料含有マイクロカプセルの歩留まりが悪く、また、香料を塗布するティシュペーパーから、香料を塗布しないティシュペーパーへ製造を切り替える際に機器洗浄などに手間がかかるなど、製造切り替えロスが大きいという問題があり、製造コストが非常に高いという問題があった。このため製品価格も高価であり、普及の妨げとなっていた。
【０００５】
近年、ティシュペーパー収納体における一般的な収納箱構造として有するスリット付きフィルムに香料を含有させ、スリット付きフィルムから揮散した香料を、収納箱内のティシュペーパーに移り香のメカニズムで香気を付与するようにした香り付きのティシュペーパー収納体も市販されている。この香り付きティシュペーパーは、香料含有マイクロカプセルをティシュペーパーに直接に塗布するものよりも、低コストで製造することができる。
【０００６】
しかしながら、このスリット付きフィルムから香料が揮散するようにしたものは、スリット付きフィルムを、ガスバリア性の低いフィルム素材と香料含有の接着剤とをラミネートしたフィルムとして、香料をフィルム素材を透過して徐々に揮散させるようにして、ほのかな香りが長期間にわたって発するものであり、使用者が時として強い香りを望む場合などに、香気の強さを調節するといったことができない。例えば、メントール系やミント系、柑橘系の香りは、瞬間的に強く香ることで、高い爽快感や清涼感が感じられるものであり、従来のスリット付きフィルムから香りを発するようにしたものでは、このような爽快感や清涼感を強く感じられるような、香気の発現態様とすることが難しかった。
【先行技術文献】
【特許文献】
【０００７】
【特許文献１】特開２０１２−１９６３８２号公報
【特許文献２】特許５２２５５９１号
【発明の概要】
【発明が解決しようとする課題】
【０００８】
そこで、本発明の主たる課題は、ティシュペーパーに直接に香料を付与したものが抱える、香り付きではないティシュペーパーと香り付きティシュペーパーとの製造切り替えロスの問題や、香料含有マイクロカプセルの低歩留まりの問題がなく、しかも、必要時に香気を強くすることができる、香り付きティシュペーパー収納体を提供することにある。
【課題を解決するための手段】
【０００９】
上記課題を解決した本発明は以下のとおりである。
【００１０】
〔請求項１記載の発明〕
上面と底面とこれらに連接する一対の長側面及び短側面とを有する直六面体形状の箱体と、この箱体に形成された開封用ミシン目線と、この開封用ミシン目線で囲まれる範囲内にスリットが位置するようにして貼付されているスリット付きフィルムとを有する収納箱に、複数のティシュペーパーが折り畳まれ積層されてなる束が収納されているティシュペーパー収納体であって、
前記スリット付きフィルムとは別に、
香料及び香料含有マイクロカプセルの少なくとも一方を含むゼラチンゲルがフィルムシート間に封入され、そのフィルムシートの少なくとも一方のフィルムシートに香料透過孔が形成された芳香シート材が、
前記香料透過孔を有するフィルムシート側がティシュペーパーの束に向けてかつ収納箱の少なくとも上面の内側面を含む範囲に貼付されている、ことを特徴とするティシュペーパー収納体。
【００１１】
〔請求項２記載の発明〕
前記香料透過孔の大きさが、直径１０〜１００μｍである請求項１記載のティシュペーパー収納体。
【００１２】
〔請求項３記載の発明〕
前記ゼラチンゲルが、温度３０〜４０℃でゾル化するものである請求項１又は２記載のティシュペーパー収納体。
【００１３】
〔請求項４記載の発明〕
前記フィルムシートが、ポリエチレンフィルム、ポリプロピレンフィルム、ポリエチレンテレフタレートフィルム、ポリスチレンフィルム、エチレン−ビニルアルコール共重合体フィルムの何れかである請求項１〜３のティシュペーパー収納体。
【００１４】
（作用効果）
香料が直接塗布されたティシュペーパーが折り畳まれティシュペーパーの束を製造するには、ティシュペーパーの前駆体である原反シートに香料を塗布する必要がある。ティシュペーパーの製造設備は、抄紙設備や複数プライとするための積層設備など、非常に大規模な設備であり、それゆえ係る原反シートに香料を塗布する場合、大規模な脱臭設備が必要であったり、設備洗浄に時間がかかるなど、香り付きではないティシュペーパーと香り付きティシュペーパーとの製造を切り替える際の製造ロスが大きい。また、ティシュペーパーに香料含有マイクロカプセルを塗布するにあたっては、ティシュペーパーの柔軟性や表面性に影響を与えないようにマイクロカプセルを低粘度の溶液に分散させて塗布しなければならず、塗布時に高価な香料含有マイクロカプセルが崩壊しやすくその歩留まりが悪い。本発明のティシュペーパー収納体は、ティシュペーパーに直接に香料を塗布するものではないので、香り付きではないティシュペーパーと香り付きティシュペーパーとの製造を切り替える必要がなくなる。すなわち、ティシュペーパーに香料を付与する際に問題が生じない。
【００１５】
また、ゼラチンゲルは、人の体温程度に加温することで容易にゾル化し、更に加熱することで液化させることができるため、本発明の芳香シート材は、部分的に加温することで、ゼラチンゲルがゾル化し、そのゾル化によってゼラチンゲル中の香料が、半固形化のゲル内に拡散されているときよりも、より外部に放出されやすくなり、芳香シート材から強い香気が発せられる。本発明では係る芳香シート材を、ティシュペーパーの取出し口から指を差し入れて容易に触れることができる上面の内側面に配しているため、強い香気を感じたい際には、使用者が係る操作をすることで意図的に香気を強めることができる。
【発明の効果】
【００１６】
以上のとおり本発明によれば、ティシュペーパーに直接に香料を付与したものが抱える、香り付きではないティシュペーパーと香り付きティシュペーパーとの製造切り替えロスの問題や、香料含有マイクロカプセルの低歩留まりの問題がなく、しかも、必要時に香気を強くすることができる、香り付きティシュペーパー収納体が提供される。
【図面の簡単な説明】
【００１７】
【図１】本発明の実施形態のティシュペーパー収納体の斜視図である。
【図２】本発明の実施形態のティシュペーパー収納体の構造を説明するための斜視図である。
【図３】本発明の実施形態の収納箱の展開状態を箱内面側から見た図である。
【図４】本発明の実施形態のティシュペーパー収納体の断面図である。
【図５】本発明の実施形態に係る芳香シート材の香気の発生メカニズムを説明するための断面図である。
【図６】本発明の実施形態に係る香り付きティシュペーパー収納体の使用例を説明するための断面図である。
【図７】本発明の実施形態に係る香り付きフィルムの平面及び断面を示す図である。
【図８】本発明の実施形態の他の収納箱の展開状態を箱内面側から見た図である。
【発明を実施するための形態】
【００１８】
次いで、本発明の実施形態を図１〜８を参照しながら以下に説明する。図１及び図２に示すように、本実施形態に係るティシュペーパー収納体１００は、複数枚のティシュペーパー２ｔ，２ｔ…が、ポップアップ式に折り畳まれ積層されてなるティシュペーパー束２が、収納箱上面１１に形成された開封用ミシン目線２０を有する収納箱１に収納されており、前記開封用ミシン目線２０を切り裂いて形成される取出口２０Ｘからティシュペーパー２ｔを取り出して使用するものである。
【００１９】
本実施形態のティシュペーパー収納体１００では、収納箱１に収納されるティシュペーパー２ｔは、特に限定されるものではなく、公知のティシュペーパーとすることができる。柔軟剤やポリオールなどの保湿剤が塗布された保湿ティシュペーパーであってもよい。
【００２０】
図示の形態に係る収納箱１は、直六面体形状の製品外観をなすものであり、上面１１に取出口２０Ｘを形成するための開封用ミシン目線２０を有する箱体１０と、前記開封用ミシン目線２０により囲まれる範囲２０ａを箱体の上面の内側面側から覆うスリット付きフィルム３０とを有している。
【００２１】
箱体１０は、収納箱１の外郭をなすものであり、その大きさ、外観形状、展開形状等は既知の収納箱の箱体の構造を採用することができる。一般的な収納箱の大きさは、概ね長手縁Ｌ１が１１０〜３２０ｍｍ、短手縁Ｌ２が７０〜２００ｍｍ、高さＬ３が４０〜１５０ｍｍ程度であり、本発明に係る収納箱１もこの大きさとするのが望ましい。箱体は内面や外面に適宜の印刷が施されていても良い。
【００２２】
また、箱体１０の基材としては、バージンパルプ、古紙パルプ等の各種のパルプを主原料とする既知の紙素材や紙加工素材が採用できる。好適な箱体１０の素材は、坪量２５０〜５００ｇ／ｍ2のコートボール紙である。
【００２３】
図示の箱体１０の組立て基本構造は、図２及び図３から理解されるように、底面１２と一方の長側面１３を糊代部１２Ａで糊付けして筒状とした後、上面１１、底面１２及びこれらを連接する長側面１３から延出する各フラップＦ，Ｆ…を箱内面側に折り返し、各フラップＦ，Ｆ…の当接部分をホットメルト接着剤等により接着して短側面１４を構成した構造となっている。但し、本発明の箱体１０は、この組立て構造に限定されるわけではない。
【００２４】
箱体１０の上面１１に形成される開封用ミシン目線２０は環状をなしており、そのカットタイ比は適宜の値とすることができる。開封用ミシン目線２０は、通常のミシン目線の他、二重ミシン目線、ジッパーミシン目線等で構成することができる。一部分のみ二重ミシン目線としてもよい。
【００２５】
本実施形態に係る開封用ミシン目線２０は、紙箱長手方向に延在する長辺とこの長辺の端同士を繋ぐ短手縁に平行な短辺を有し、その開封用ミシン目線２０に囲まれる範囲２０Ｘの形状が、収納箱１の長手方向に沿う方向が長い適宜の形状となっている。一般的には、収納箱１の長手方向に沿うやや細長い角取り矩形、或いはその矩形の長辺の中央部を外方に向かってやや膨張させてアーチ状とし、楕円に近い形状としたものである。図示の形態は前者の例である。
【００２６】
また、本実施形態に係る開封用ミシン目線で囲まれる範囲は、本実施形態に係るティシュペーパー収納体１００では、後に説明するとおり、収納箱１の上面の内側面１１ｉを指で接触できるようにすることが望まれることから、少なくとも開封用ミシン目線で囲まれる範囲２０ａは、開封用ミシン目線２０を切り剥がした際に形成される取出口２０Ｘが、指が入れられる程度の広さとなるようにする。
【００２７】
スリット付きフィルム３０は、前記開封用ミシン目線２０により囲まれる範囲２０ａより大きく、例えば、矩形や楕円形であり、収納箱上面の内側面１１ｉにおいて、特に開封用ミシン目線２０の切り剥がしに影響がないように、開封用ミシン目線２０に囲まれる範囲２０ａの外側で接着剤によって貼付されている。スリット付きフィルム３０におけるスリット３１は、前記開封用ミシン目線２０により囲まれる範囲２０ａで長手方向に沿って位置されており、したがって、図１、図２に示すとおり、開封用ミシン目線２０に沿ってその開封用ミシン目線２０で囲まれる範囲２０ａを切り剥がすことにより、紙箱上面１１に取出口２０Ｘが形成されるとともに、前記スリット付きフィルム３０及びスリット３１が取出口２０Ｘを介して露出される。そして、このスリット３１から一枚ずつティシュペーパー２ｔが引き出せるようになる。また、本実施形態に係るティシュペーパー収納体では、先にも述べたが、収納箱上面の内側面１１ｉを指で接触できるようにすることが望まれることから、少なくともスリット３１の長さについても、指が入れられる程度のスリット開口３１ａが形成される長さとする。
【００２８】
ここで、本発明に係る香り付きティシュペーパー収納体１００に係る収納箱１は、特徴的に、スリット付きフィルム３０とは別に、芳香シート材３２を有している。この芳香シート材３２は、図５（Ａ）に示すように、香料（図示されない）及び香料含有マイクロカプセル３２ｍ、３２ｍ…の少なくとも一方を含むゼラチンゲル３２Ａが、少なくとも一方のフィルムシート３２Ｂ，３２Ｃに多数の微細な香料透過孔（図示されない）が形成されているフィルムシート３２Ｂ，３２Ｃの間に、そのゼラチンゲル３２Ａが適度な物理的刺激を与えないかぎり漏れ出ない程度にゲル密に封入されたものとなっている。そして、本実施形態のティシュペーパー収納体１００では、前記芳香シート材３２が、その香料透過孔を有するフィルムシートがティシュペーパー２ｔの束２に向けて、収納箱１の少なくとも上面の内側面１１ｉを含む範囲に貼付されている。係る構造を有することにより、予め含有させた香料そのもの或いは製造時或いは物理的刺激によって一部崩壊した香料含有マイクロカプセルから漏出した香料がゼラチンゲル３２Ａに拡散し、そのゼラチンゲル３２に拡散された香料が、前記フィルムシート３２Ｂ，３２Ｃの素材自体を介して又はフィルムシート３２Ｂ，３２Ｃに形成された香料透過孔から、収納箱内に香料が揮散して、ほのかな香気を発する。
【００２９】
その一方で、ゼラチンゲル３２Ａは、人の体温程度に加温することで容易にゾル化させることができる。したがって、図５（Ｂ）に示すように、本実施形態に係る芳香シート材３２は、部分的に加温されると、ゼラチンゲル３２Ａが部分的にゾル化され、それにともなう流動性の増加により、ゼラチンゲル中の香料が半固形化のゲル内に拡散されていたときよりも、フィルム素材や香料透過孔から揮散したり、香料透過性孔から漏出しやすくなる。したがって、ゼラチンゲル３２Ａのゾル化によって、香料が芳香シート材外へと放出されやすくなり、芳香シート材から強い香気が発せられるようになる（図５（Ｂ）中において加温部分を符号Ｘ、ゾル化したゼラチンゲル部分を符号３２Ｌ、揮散した香料を符号Ｇで模式的に示している）。このため、本実施形態に係るティシュペーパー収納体１００では、図６に示すように、スリット開口３１ａから収納箱内に手を差し入れて、芳香シート材３２を指で触ったり、押したり、揉んだりすることで、ゼラチンゲル３２Ａをゾル化させることができ、また、香料含有マイクロカプセル３２ｍ，３２ｍ…を、その際の物理的刺激によって崩壊させることができる。ゼラチンゲル３２Ａのゾル化によって、香料が半固形化のゲル内に拡散されているときよりも、より芳香シート材外へ放出されやすくなるとともに、香料含有マイクロカプセル３２ｍからは、その香料が漏れ出るようになるため、係る操作を行なうことで、芳香シート材３２から強い香気を発するようにすることができる。つまり、本実施形態に係るティシュペーパー収納体１００では、使用者が意図して強い香気を選択的に発するようにすることができる。
【００３０】
特に香料含有マイクロカプセル３２ｍ，３２ｍ…を含むものとするならば、メントール系やミント系、柑橘系の香りなどに係る揮散性の高い香料を封入したものとすると、マイクロカプセルの崩壊時に、ゼラチンゲル中に揮散性の高い香料が瞬間的に拡散するため、特に香気が瞬間的に強く発せられ、高い爽快感や清涼感が感じられるものとしやすい。
【００３１】
ここで、このようなゼラチンゲル３２Ａのゾル化が容易になされるように、ゼラチンゲル３２Ａは、そのゾル化温度が３０〜４０℃、より好ましくは３４〜３８℃でゾル化するものを適宜選択するのが望ましい。人の手の平の体温は、概ね３４〜３８℃であるため、係る温度であればゼラチンゲル３２Ａをゾル化させることが可能である。
【００３２】
物理的な刺激なくゼラチンゲル及びゾル化したゼラチンゲルがフィルムシートから漏れ出ず、また、上記操作によって効果的に香料が揮散或いは漏出されるように、フィルムシート３２Ｂ，３２Ｃに形成される香料透過孔は、直径１０〜１００μｍとするのが望ましい。より好ましくは１５〜３０μｍである。香料透過孔の形成は、公知のフィルムシートに微細孔を形成する公知の技術が採用できる。例えば、フィルムシート原料に微粒子材を充填させて延伸させることでフィルムシートに微粒子材による微細孔を形成することができる。
【００３３】
他方、香料や香料含有マイクロカプセル３２ｍを含むゼラチンゲル３２Ａをフィルムシート３２Ｂ，３２Ｃの間から意図せず漏れでないようにするにあたっては、図７に示すように、フィルムシート３２Ｂ，３２Ｃの周縁部同士を融着処理することで、液密性を確保することができる（図中、周縁部の熱融着部は符号３２ｅで示す）。但し、本発明は、フィルムシート３２Ｂ，３２Ｃの間にゼラチンゲル３２Ａを液密に保持する技術は特に限定されない。フィルムシート３２Ｂ，３２Ｃの周縁同士の接着は、融着に限らず超音波溶着などのゲル密性を確保できる範囲で接着剤によって接着してもよい。
【００３４】
芳香シート材３２を構成するフィルムシート３２Ｂ，３２Ｃは、ポリエチレンフィルム、ポリプロピレンフィルム、ポリエチレンテレフタレートフィルム、ポリスチレンフィルム、エチレン−ビニルアルコール共重合体フィルムが適する。特に、ポリエチレンフィルム、ポリプロピレンフィルムは、ガスバリア性が低いためフィルム自体を香料が透過しやすく、芳香シート材３２に加温や物理的刺激を与えない状態で、ほのかな香気を発しやすいものとなる。また、上記フィルムシート３２Ｂ，３２Ｃは、安価であるとともに、熱融着性など加工性に優れるため図７のよう液密構造の芳香シート材３２を形成しやすい。
【００３５】
ゼラチンゲル３２Ａをフィルムシート３２Ｂ，３２Ｃの間に封入する方法も本発明では特に限定はされない。例えば、一方のフィルムシート３２Ｂ（３２Ｃ）に香料や香料含有マイクロカプセルを含むゼラチンゲル３２Ａを塗布した後に、他方のフィルムシート３２Ｃ（３２Ｂ）を重ねて所定位置を熱融着処理する方法や、フィルムシート同士を開口のある平袋状に形成したのちゼラチンゲル３２Ａを注入した後、その開口を密封封止する方法などが例示できる。
【００３６】
芳香シート材３２の厚みは３０〜２００μｍとするのが望ましい。この範囲であれば収納箱内に貼付しやすい。また、２００μｍを超えると収納箱１を糊代部１２Ａに貼付し筒状に成形した際に芳香シート材３２の厚みにより輸送時に収納箱１が変形するおそれがあり、３０μｍ未満であると十分な量のゼラチンゲル３２Ａを封入したものとするのが困難となる。さらに、フィルムシート３２Ｂ，３２Ｃの厚さは、５〜８０μｍとするのが望ましい。破断のおそれなく芳香シート材３２を構成することができる。ゼラチンゲル３２Ａの封入量は特に限定されないが、芳香シート材３２の厚さが過度とならず、また、十分な香気が発せられるようにすべく、厚みは１０〜１００μｍ、香料及び香料含有マイクロカプセルの含有量としては、１〜１０ｇ／ｍ2とするのが望ましい。
【００３７】
他方、ゼラチンゲル３２Ａに含ませる香料含有マイクロカプセル３２ｍは、マイクロカプセル内に香料を封入したものである。その外殻は、限定されない。メラミン樹脂、ウレタン樹脂、尿素樹脂が例示できる。なかでもメラミン樹脂は適度な崩壊性と香料透過性を有するため望ましい。マイクロカプセルの形成方法も、本発明では特に限定されない。インサイチュ法、界面重合法等の化学的方法から適宜選択すればよい。マイクロカプセルの膜厚も、特に限定されないが、概ね、０．１〜１．０μｍ、好ましくは０．１〜０．５μｍである。
【００３８】
また、香料含有マイクロカプセル３２ｍの平均粒子径は、１０〜５０μｍであるのが望ましい。この範囲であれば、カプセル重量に対する香料比を大きくすることができ所望の芳香シート材に十分な香料量を含有させることができる。但し、カプセル径が大きくなると製造時にカプセルが多量に破壊されて歩留まりの低下するおそれがあるため、より好ましい香料含有マイクロカプセル３２ｍの平均粒径は、１５〜３０μｍである。なお、ここでの平均粒子径は、メジアン径による。
【００３９】
香料は、適宜の香料を用いることができる。例えば、レモン油、グレープフルーツ油、ローズマリー油、ペパーミント油、マンダリン油、ライム油、ユズ油、カモミール油、ラベンダー油、ローズ油、スペアミント油等の天然香料類；リナロール、シトロネロール、メントール、ゲラニオール等のアルコール類等の合成香料、２−メチルブタン酸エチル、β−ピネン、酢酸イソアミノル、２−メチルペンタン酸エチル、β-ミルセン、ヘキサン酸エチル、酢酸３−メチル−２−ブテン−１−オール、酢酸３−ヘキセン−１−オール、テトラヒドロ−４−メチル−２−（−２−メチルプロピル）２Ｈ−ピラン、イソシクロシトラール、２，４−ジメチル−７−オクテン−２−オール、３，７−ジメチル−１，６−オクタデン−３−オール、酢酸  ４−ｔｅｒｔ−ブチルシクロヘキシル、２−（１，１−ジメチルエチル）−シクロヘキサノール、酢酸１−フェニルエチル、ブタン酸１，１−ジメチル−２−フェニルエチル等の化学物質が挙げられる。これらは単独で用いても、複数を組み合わせて調合香料として用いてもよい。香料の選択は、所望の香調によって決定すればよい。
【００４０】
他方、本実施形態に係るティシュペーパー収納体１００では、図から理解されるように、芳香シート材３２を、収納箱上面１１の内側面１１ｉから長側面１３の内側面１３ｉに架けて貼付している。少なくとも収納箱上面の内側面１１ｉを含む範囲に貼付することで、図６に示すように、スリット開口３１ａから指を差し入れた際に、容易に芳香シート材３２に触れることができる。特に、収納箱上面の内側面１１ｉであれば使用開始直後のティシュペーパー束２の上面と収納箱上面の内側面１１ｉが近い或いは接している状態にあっても指を差し入れて芳香シート材３２に触れることができる。また、本実施形態に係るティシュペーパー収納体１００は、ティシュペーパー２ｔの束２がポップアップ式に折り畳まれ積層されている。このポップアップ式の束は、ティシュペーパー２ｔが二つ折りされ、その折り返し片の縁が上下に隣接するティシュペーパー２ｔの折り返し内面に位置するようにして、互い違いに重ねられているため、図６に示すが如く、スリット開口３１ａから指を差し入れる際に、スリットから露出するティシュペーパーの下層に指を潜らせるように指を差し入れることができ、この場合に芳香シート材３２に直接的に指で触れずに最上面或いはその一枚下のティシュペーパーを介して、芳香シート材３２に指で加温及び刺激を与えることができる。このようにすれば、指に香料が付着しがたく、かつ、まさに使用するスリットから露出しているティシュペーパーに直接に強い香気を付与することができる。なお、このティシュペーパー束２は、マルチスタンド式、ロータリー式の既知のインターフォルダにより製造することができる。
【００４１】
さらに、図示例の如く、収納箱長手側面の内側面１３ｉに架けて芳香シート材３２を貼付することで、ある程度ティシュペーパー２ｔを引き出してティシュペーパー束２の上面位置が低くなってもティシュペーパー２ｔに近い位置で芳香シート材３２から香料を揮散させることができるようになる。
【００４２】
芳香シート材３２を箱体１０に接着するための接着剤は、スリット付きフィルム３０を接着するための接着剤と同様の既知のものが使用できる。例えば、天然ゴム系、天然ゴムラテックス系、アクリル系、ホットメルト系、ポリエステル系の粘着剤や接着剤を用いることができる。
【００４３】
他方、図２〜４及び図６に示した例では、芳香シート材を一枚収納箱内に貼付した形態であるが、本発明は芳香シート材３２は一枚に限られない。図８に示す例のように、二枚の芳香シート材を貼付するようにしてもよい。
【００４４】
なお、本実施形態に係る香り付きティシュペーパー収納体１００は、スリット付きフィルム３０と芳香シート材３２とが別のものとなっている。従来のスリット付きフィルム３０を香りを発するものとしたものでは、当該スリット付きフィルムに接着剤等で香料層を付与するためフィルムが硬くなりやすく、スリットからのティシュペーパーの引き出し性を悪化させるおそれがあるが、本発明では、スリット付きフィルムが本来担うティシュペーパーをスムーズに引き出せるようにする効果を悪化させることがないという利点も有する。
【符号の説明】
【００４５】
１００…ティシュペーパー収納体、２…ティシュペーパー束、２ｔ…ティシュペーパー、１１…収納箱（紙箱）上面、２０…開封用ミシン目線、１…収納箱、２０ａ…開封用ミシン目線で囲まれる範囲、２０Ｘ…取出口、３０…スリット付きフィルム、１０…箱体、Ｌ１…収納箱の長手縁、Ｌ２…収納箱の短手縁、Ｌ３…収納箱の高さ、１２…収納箱（紙箱）底面、１２Ａ…糊代部、１３…収納箱（紙箱）長側面、１４…収納箱（紙箱）短側面、Ｆ…フラップ、１１ｉ…収納箱（紙箱）上面の内側面、３１…スリット、３１ａ…スリット開口、３２Ａ…ゼラチンゲル、１３ｉ…収納箱（紙箱）長手側面の内側面、３２…芳香シート材、３２ｍ…香料含有マイクロカプセル、３２Ｂ，３２Ｃ…フィルムシート、３２ｅ…熱融着部、Ｘ…加温部分。
【図１】
2015168437.tif 000003
【図２】
2015168437.tif 000004
【図３】
2015168437.tif 000005
【図４】
2015168437.tif 000006
【図５】
2015168437.tif 000007
【図６】
2015168437.tif 000008
【図７】
2015168437.tif 000009
【図８】
2015168437.tif 000010
【手続補正書】
【提出日】平成27年7月16日(2015.7.16)
【手続補正１】
【補正対象書類名】明細書
【補正対象項目名】全文
【補正方法】変更
【補正の内容】
【発明の詳細な説明】
【技術分野】
【０００１】
本発明は、香り付きのティシュペーパー収納体に関する。
【背景技術】
【０００２】
複数枚のティシュペーパーを折り畳み重ねた束を、カートンとも称される直六面体形状の収納箱に収納したティシュペーパー収納体は良く知られるが、このティシュペーパー収納体の中には香り付きのものがある。
【０００３】
香り付きティシュペーパー収納体は、旧来、マイクロカプセルに香料を封入した香料含有マイクロカプセルをティシュペーパーに塗布して香り付きティシュペーパーとすることが行なわれていた。
【０００４】
しかし、この方法は、ティシュペーパーへ塗布する際における香料含有マイクロカプセルの歩留まりが悪く、また、香料を塗布するティシュペーパーから、香料を塗布しないティシュペーパーへ製造を切り替える際に機器洗浄などに手間がかかるなど、製造切り替えロスが大きいという問題があり、製造コストが非常に高いという問題があった。このため製品価格も高価であり、普及の妨げとなっていた。
【０００５】
近年、ティシュペーパー収納体における一般的な収納箱構造として有するスリット付きフィルムに香料を含有させ、スリット付きフィルムから揮散した香料を、収納箱内のティシュペーパーに移り香のメカニズムで香気を付与するようにした香り付きのティシュペーパー収納体も市販されている。この香り付きティシュペーパーは、香料含有マイクロカプセルをティシュペーパーに直接に塗布するものよりも、低コストで製造することができる。
【０００６】
しかしながら、このスリット付きフィルムから香料が揮散するようにしたものは、スリット付きフィルムを、ガスバリア性の低いフィルム素材と香料含有の接着剤とをラミネートしたフィルムとして、香料をフィルム素材を透過して徐々に揮散させるようにして、ほのかな香りが長期間にわたって発するものであり、使用者が時として強い香りを望む場合などに、香気の強さを調節するといったことができない。例えば、メントール系やミント系、柑橘系の香りは、瞬間的に強く香ることで、高い爽快感や清涼感が感じられるものであり、従来のスリット付きフィルムから香りを発するようにしたものでは、このような爽快感や清涼感を強く感じられるような、香気の発現態様とすることが難しかった。
【先行技術文献】
【特許文献】
【０００７】
【特許文献１】特開２０１２−１９６３８２号公報
【特許文献２】特許５２２５５９１号
【発明の概要】
【発明が解決しようとする課題】
【０００８】
そこで、本発明の主たる課題は、ティシュペーパーに直接に香料を付与したものが抱える、香り付きではないティシュペーパーと香り付きティシュペーパーとの製造切り替えロスの問題や、香料含有マイクロカプセルの低歩留まりの問題がなく、しかも、必要時に香気を強くすることができる、香り付きティシュペーパー収納体を提供することにある。
【課題を解決するための手段】
【０００９】
上記課題を解決した本発明は以下のとおりである。
【００１０】
〔請求項１記載の発明〕
上面と底面とこれらに連接する一対の長側面及び短側面とを有する直六面体形状の箱体と、この箱体に形成された開封用ミシン目線と、この開封用ミシン目線で囲まれる範囲内にスリットが位置するようにして貼付されているスリット付きフィルムとを有する収納箱に、複数のティシュペーパーが折り畳まれ積層されてなる束が収納されているティシュペーパー収納体であって、
前記スリット付きフィルムとは別に、
香料及び香料が含有された香料含有マイクロカプセルの少なくとも一方を含むゼラチンゲルがフィルムシート間にゲル密に封入され、そのフィルムシートの少なくとも一方のフィルムシートに香料透過孔が形成されて、前記香料が香料透過孔から揮散されるとともに、前記ゼラチンゲルのゾル化によって前記香料透過孔からの香料の揮散が高まる芳香シート材が、
前記香料透過孔を有するフィルムシート側がティシュペーパーの束に向けてかつ収納箱の少なくとも上面の内側面を含む範囲に貼付されている、ことを特徴とするティシュペーパー収納体。
【００１１】
〔請求項２記載の発明〕
前記香料透過孔の大きさが、直径１０〜１００μｍである請求項１記載のティシュペーパー収納体。
【００１２】
〔請求項３記載の発明〕
前記ゼラチンゲルが、温度３０〜４０℃でゾル化するものである請求項１又は２記載のティシュペーパー収納体。
【００１３】
〔請求項４記載の発明〕
前記フィルムシートが、ポリエチレンフィルム、ポリプロピレンフィルム、ポリエチレンテレフタレートフィルム、ポリスチレンフィルム、エチレン−ビニルアルコール共重合体フィルムの何れかである請求項１〜３のティシュペーパー収納体。
【００１４】
（作用効果）
香料が直接塗布されたティシュペーパーが折り畳まれティシュペーパーの束を製造するには、ティシュペーパーの前駆体である原反シートに香料を塗布する必要がある。ティシュペーパーの製造設備は、抄紙設備や複数プライとするための積層設備など、非常に大規模な設備であり、それゆえ係る原反シートに香料を塗布する場合、大規模な脱臭設備が必要であったり、設備洗浄に時間がかかるなど、香り付きではないティシュペーパーと香り付きティシュペーパーとの製造を切り替える際の製造ロスが大きい。また、ティシュペーパーに香料含有マイクロカプセルを塗布するにあたっては、ティシュペーパーの柔軟性や表面性に影響を与えないようにマイクロカプセルを低粘度の溶液に分散させて塗布しなければならず、塗布時に高価な香料含有マイクロカプセルが崩壊しやすくその歩留まりが悪い。本発明のティシュペーパー収納体は、ティシュペーパーに直接に香料を塗布するものではないので、香り付きではないティシュペーパーと香り付きティシュペーパーとの製造を切り替える必要がなくなる。すなわち、ティシュペーパーに香料を付与する際に問題が生じない。
【００１５】
また、ゼラチンゲルは、人の体温程度に加温することで容易にゾル化し、更に加熱することで液化させることができるため、本発明の芳香シート材は、部分的に加温することで、ゼラチンゲルがゾル化し、そのゾル化によってゼラチンゲル中の香料が、半固形化のゲル内に拡散されているときよりも、より外部に放出されやすくなり、芳香シート材から強い香気が発せられる。本発明では係る芳香シート材を、ティシュペーパーの取出し口から指を差し入れて容易に触れることができる上面の内側面に配しているため、強い香気を感じたい際には、使用者が係る操作をすることで意図的に香気を強めることができる。
【発明の効果】
【００１６】
以上のとおり本発明によれば、ティシュペーパーに直接に香料を付与したものが抱える、香り付きではないティシュペーパーと香り付きティシュペーパーとの製造切り替えロスの問題や、香料含有マイクロカプセルの低歩留まりの問題がなく、しかも、必要時に香気を強くすることができる、香り付きティシュペーパー収納体が提供される。
【図面の簡単な説明】
【００１７】
【図１】本発明の実施形態のティシュペーパー収納体の斜視図である。
【図２】本発明の実施形態のティシュペーパー収納体の構造を説明するための斜視図である。
【図３】本発明の実施形態の収納箱の展開状態を箱内面側から見た図である。
【図４】本発明の実施形態のティシュペーパー収納体の断面図である。
【図５】本発明の実施形態に係る芳香シート材の香気の発生メカニズムを説明するための断面図である。
【図６】本発明の実施形態に係る香り付きティシュペーパー収納体の使用例を説明するための断面図である。
【図７】本発明の実施形態に係る香り付きフィルムの平面及び断面を示す図である。
【図８】本発明の実施形態の他の収納箱の展開状態を箱内面側から見た図である。
【発明を実施するための形態】
【００１８】
次いで、本発明の実施形態を図１〜８を参照しながら以下に説明する。図１及び図２に示すように、本実施形態に係るティシュペーパー収納体１００は、複数枚のティシュペーパー２ｔ，２ｔ…が、ポップアップ式に折り畳まれ積層されてなるティシュペーパー束２が、収納箱上面１１に形成された開封用ミシン目線２０を有する収納箱１に収納されており、前記開封用ミシン目線２０を切り裂いて形成される取出口２０Ｘからティシュペーパー２ｔを取り出して使用するものである。
【００１９】
本実施形態のティシュペーパー収納体１００では、収納箱１に収納されるティシュペーパー２ｔは、特に限定されるものではなく、公知のティシュペーパーとすることができる。柔軟剤やポリオールなどの保湿剤が塗布された保湿ティシュペーパーであってもよい。
【００２０】
図示の形態に係る収納箱１は、直六面体形状の製品外観をなすものであり、上面１１に取出口２０Ｘを形成するための開封用ミシン目線２０を有する箱体１０と、前記開封用ミシン目線２０により囲まれる範囲２０ａを箱体の上面の内側面側から覆うスリット付きフィルム３０とを有している。
【００２１】
箱体１０は、収納箱１の外郭をなすものであり、その大きさ、外観形状、展開形状等は既知の収納箱の箱体の構造を採用することができる。一般的な収納箱の大きさは、概ね長手縁Ｌ１が１１０〜３２０ｍｍ、短手縁Ｌ２が７０〜２００ｍｍ、高さＬ３が４０〜１５０ｍｍ程度であり、本発明に係る収納箱１もこの大きさとするのが望ましい。箱体は内面や外面に適宜の印刷が施されていても良い。
【００２２】
また、箱体１０の基材としては、バージンパルプ、古紙パルプ等の各種のパルプを主原料とする既知の紙素材や紙加工素材が採用できる。好適な箱体１０の素材は、坪量２５０〜５００ｇ／ｍ2のコートボール紙である。
【００２３】
図示の箱体１０の組立て基本構造は、図２及び図３から理解されるように、底面１２と一方の長側面１３を糊代部１２Ａで糊付けして筒状とした後、上面１１、底面１２及びこれらを連接する長側面１３から延出する各フラップＦ，Ｆ…を箱内面側に折り返し、各フラップＦ，Ｆ…の当接部分をホットメルト接着剤等により接着して短側面１４を構成した構造となっている。但し、本発明の箱体１０は、この組立て構造に限定されるわけではない。
【００２４】
箱体１０の上面１１に形成される開封用ミシン目線２０は環状をなしており、そのカットタイ比は適宜の値とすることができる。開封用ミシン目線２０は、通常のミシン目線の他、二重ミシン目線、ジッパーミシン目線等で構成することができる。一部分のみ二重ミシン目線としてもよい。
【００２５】
本実施形態に係る開封用ミシン目線２０は、紙箱長手方向に延在する長辺とこの長辺の端同士を繋ぐ短手縁に平行な短辺を有し、その開封用ミシン目線２０に囲まれる範囲２０Ｘの形状が、収納箱１の長手方向に沿う方向が長い適宜の形状となっている。一般的には、収納箱１の長手方向に沿うやや細長い角取り矩形、或いはその矩形の長辺の中央部を外方に向かってやや膨張させてアーチ状とし、楕円に近い形状としたものである。図示の形態は前者の例である。
【００２６】
また、本実施形態に係る開封用ミシン目線で囲まれる範囲は、本実施形態に係るティシュペーパー収納体１００では、後に説明するとおり、収納箱１の上面の内側面１１ｉを指で接触できるようにすることが望まれることから、少なくとも開封用ミシン目線で囲まれる範囲２０ａは、開封用ミシン目線２０を切り剥がした際に形成される取出口２０Ｘが、指が入れられる程度の広さとなるようにする。
【００２７】
スリット付きフィルム３０は、前記開封用ミシン目線２０により囲まれる範囲２０ａより大きく、例えば、矩形や楕円形であり、収納箱上面の内側面１１ｉにおいて、特に開封用ミシン目線２０の切り剥がしに影響がないように、開封用ミシン目線２０に囲まれる範囲２０ａの外側で接着剤によって貼付されている。スリット付きフィルム３０におけるスリット３１は、前記開封用ミシン目線２０により囲まれる範囲２０ａで長手方向に沿って位置されており、したがって、図１、図２に示すとおり、開封用ミシン目線２０に沿ってその開封用ミシン目線２０で囲まれる範囲２０ａを切り剥がすことにより、紙箱上面１１に取出口２０Ｘが形成されるとともに、前記スリット付きフィルム３０及びスリット３１が取出口２０Ｘを介して露出される。そして、このスリット３１から一枚ずつティシュペーパー２ｔが引き出せるようになる。また、本実施形態に係るティシュペーパー収納体では、先にも述べたが、収納箱上面の内側面１１ｉを指で接触できるようにすることが望まれることから、少なくともスリット３１の長さについても、指が入れられる程度のスリット開口３１ａが形成される長さとする。
【００２８】
ここで、本発明に係る香り付きティシュペーパー収納体１００に係る収納箱１は、特徴的に、スリット付きフィルム３０とは別に、芳香シート材３２を有している。この芳香シート材３２は、図５（Ａ）に示すように、香料（図示されない）及び香料含有マイクロカプセル３２ｍ、３２ｍ…の少なくとも一方を含むゼラチンゲル３２Ａが、少なくとも一方のフィルムシート３２Ｂ，３２Ｃに多数の微細な香料透過孔（図示されない）が形成されているフィルムシート３２Ｂ，３２Ｃの間に、そのゼラチンゲル３２Ａが適度な物理的刺激を与えないかぎり漏れ出ない程度にゲル密に封入されたものとなっている。そして、本実施形態のティシュペーパー収納体１００では、前記芳香シート材３２が、その香料透過孔を有するフィルムシートがティシュペーパー２ｔの束２に向けて、収納箱１の少なくとも上面の内側面１１ｉを含む範囲に貼付されている。係る構造を有することにより、予め含有させた香料そのもの或いは製造時或いは物理的刺激によって一部崩壊した香料含有マイクロカプセルから漏出した香料がゼラチンゲル３２Ａに拡散し、そのゼラチンゲル３２に拡散された香料が、前記フィルムシート３２Ｂ，３２Ｃの素材自体を介して又はフィルムシート３２Ｂ，３２Ｃに形成された香料透過孔から、収納箱内に香料が揮散して、ほのかな香気を発する。
【００２９】
その一方で、ゼラチンゲル３２Ａは、人の体温程度に加温することで容易にゾル化させることができる。したがって、図５（Ｂ）に示すように、本実施形態に係る芳香シート材３２は、部分的に加温されると、ゼラチンゲル３２Ａが部分的にゾル化され、それにともなう流動性の増加により、ゼラチンゲル中の香料が半固形化のゲル内に拡散されていたときよりも、フィルム素材や香料透過孔から揮散したり、香料透過性孔から漏出しやすくなる。したがって、ゼラチンゲル３２Ａのゾル化によって、香料が芳香シート材外へと放出されやすくなり、芳香シート材から強い香気が発せられるようになる（図５（Ｂ）中において加温部分を符号Ｘ、ゾル化したゼラチンゲル部分を符号３２Ｌ、揮散した香料を符号Ｇで模式的に示している）。このため、本実施形態に係るティシュペーパー収納体１００では、図６に示すように、スリット開口３１ａから収納箱内に手を差し入れて、芳香シート材３２を指で触ったり、押したり、揉んだりすることで、ゼラチンゲル３２Ａをゾル化させることができ、また、香料含有マイクロカプセル３２ｍ，３２ｍ…を、その際の物理的刺激によって崩壊させることができる。ゼラチンゲル３２Ａのゾル化によって、香料が半固形化のゲル内に拡散されているときよりも、より芳香シート材外へ放出されやすくなるとともに、香料含有マイクロカプセル３２ｍからは、その香料が漏れ出るようになるため、係る操作を行なうことで、芳香シート材３２から強い香気を発するようにすることができる。つまり、本実施形態に係るティシュペーパー収納体１００では、使用者が意図して強い香気を選択的に発するようにすることができる。
【００３０】
特に香料含有マイクロカプセル３２ｍ，３２ｍ…を含むものとするならば、メントール系やミント系、柑橘系の香りなどに係る揮散性の高い香料を封入したものとすると、マイクロカプセルの崩壊時に、ゼラチンゲル中に揮散性の高い香料が瞬間的に拡散するため、特に香気が瞬間的に強く発せられ、高い爽快感や清涼感が感じられるものとしやすい。
【００３１】
ここで、このようなゼラチンゲル３２Ａのゾル化が容易になされるように、ゼラチンゲル３２Ａは、そのゾル化温度が３０〜４０℃、より好ましくは３４〜３８℃でゾル化するものを適宜選択するのが望ましい。人の手の平の体温は、概ね３４〜３８℃であるため、係る温度であればゼラチンゲル３２Ａをゾル化させることが可能である。
【００３２】
物理的な刺激なくゼラチンゲル及びゾル化したゼラチンゲルがフィルムシートから漏れ出ず、また、上記操作によって効果的に香料が揮散或いは漏出されるように、フィルムシート３２Ｂ，３２Ｃに形成される香料透過孔は、直径１０〜１００μｍとするのが望ましい。より好ましくは１５〜３０μｍである。香料透過孔の形成は、公知のフィルムシートに微細孔を形成する公知の技術が採用できる。例えば、フィルムシート原料に微粒子材を充填させて延伸させることでフィルムシートに微粒子材による微細孔を形成することができる。
【００３３】
他方、香料や香料含有マイクロカプセル３２ｍを含むゼラチンゲル３２Ａをフィルムシート３２Ｂ，３２Ｃの間から意図せず漏れでないようにするにあたっては、図７に示すように、フィルムシート３２Ｂ，３２Ｃの周縁部同士を融着処理することで、液密性を確保することができる（図中、周縁部の熱融着部は符号３２ｅで示す）。但し、本発明は、フィルムシート３２Ｂ，３２Ｃの間にゼラチンゲル３２Ａを液密に保持する技術は特に限定されない。フィルムシート３２Ｂ，３２Ｃの周縁同士の接着は、融着に限らず超音波溶着などのゲル密性を確保できる範囲で接着剤によって接着してもよい。
【００３４】
芳香シート材３２を構成するフィルムシート３２Ｂ，３２Ｃは、ポリエチレンフィルム、ポリプロピレンフィルム、ポリエチレンテレフタレートフィルム、ポリスチレンフィルム、エチレン−ビニルアルコール共重合体フィルムが適する。特に、ポリエチレンフィルム、ポリプロピレンフィルムは、ガスバリア性が低いためフィルム自体を香料が透過しやすく、芳香シート材３２に加温や物理的刺激を与えない状態で、ほのかな香気を発しやすいものとなる。また、上記フィルムシート３２Ｂ，３２Ｃは、安価であるとともに、熱融着性など加工性に優れるため図７のよう液密構造の芳香シート材３２を形成しやすい。
【００３５】
ゼラチンゲル３２Ａをフィルムシート３２Ｂ，３２Ｃの間に封入する方法も本発明では特に限定はされない。例えば、一方のフィルムシート３２Ｂ（３２Ｃ）に香料や香料含有マイクロカプセルを含むゼラチンゲル３２Ａを塗布した後に、他方のフィルムシート３２Ｃ（３２Ｂ）を重ねて所定位置を熱融着処理する方法や、フィルムシート同士を開口のある平袋状に形成したのちゼラチンゲル３２Ａを注入した後、その開口を密封封止する方法などが例示できる。
【００３６】
芳香シート材３２の厚みは３０〜２００μｍとするのが望ましい。この範囲であれば収納箱内に貼付しやすい。また、２００μｍを超えると収納箱１を糊代部１２Ａに貼付し筒状に成形した際に芳香シート材３２の厚みにより輸送時に収納箱１が変形するおそれがあり、３０μｍ未満であると十分な量のゼラチンゲル３２Ａを封入したものとするのが困難となる。さらに、フィルムシート３２Ｂ，３２Ｃの厚さは、５〜８０μｍとするのが望ましい。破断のおそれなく芳香シート材３２を構成することができる。ゼラチンゲル３２Ａの封入量は特に限定されないが、芳香シート材３２の厚さが過度とならず、また、十分な香気が発せられるようにすべく、厚みは１０〜１００μｍ、香料及び香料含有マイクロカプセルの含有量としては、１〜１０ｇ／ｍ2とするのが望ましい。
【００３７】
他方、ゼラチンゲル３２Ａに含ませる香料含有マイクロカプセル３２ｍは、マイクロカプセル内に香料を封入したものである。その外殻は、限定されない。メラミン樹脂、ウレタン樹脂、尿素樹脂が例示できる。なかでもメラミン樹脂は適度な崩壊性と香料透過性を有するため望ましい。マイクロカプセルの形成方法も、本発明では特に限定されない。インサイチュ法、界面重合法等の化学的方法から適宜選択すればよい。マイクロカプセルの膜厚も、特に限定されないが、概ね、０．１〜１．０μｍ、好ましくは０．１〜０．５μｍである。
【００３８】
また、香料含有マイクロカプセル３２ｍの平均粒子径は、１０〜５０μｍであるのが望ましい。この範囲であれば、カプセル重量に対する香料比を大きくすることができ所望の芳香シート材に十分な香料量を含有させることができる。但し、カプセル径が大きくなると製造時にカプセルが多量に破壊されて歩留まりの低下するおそれがあるため、より好ましい香料含有マイクロカプセル３２ｍの平均粒径は、１５〜３０μｍである。なお、ここでの平均粒子径は、メジアン径による。
【００３９】
香料は、適宜の香料を用いることができる。例えば、レモン油、グレープフルーツ油、ローズマリー油、ペパーミント油、マンダリン油、ライム油、ユズ油、カモミール油、ラベンダー油、ローズ油、スペアミント油等の天然香料類；リナロール、シトロネロール、メントール、ゲラニオール等のアルコール類等の合成香料、２−メチルブタン酸エチル、β−ピネン、酢酸イソアミノル、２−メチルペンタン酸エチル、β-ミルセン、ヘキサン酸エチル、酢酸３−メチル−２−ブテン−１−オール、酢酸３−ヘキセン−１−オール、テトラヒドロ−４−メチル−２−（−２−メチルプロピル）２Ｈ−ピラン、イソシクロシトラール、２，４−ジメチル−７−オクテン−２−オール、３，７−ジメチル−１，６−オクタデン−３−オール、酢酸  ４−ｔｅｒｔ−ブチルシクロヘキシル、２−（１，１−ジメチルエチル）−シクロヘキサノール、酢酸１−フェニルエチル、ブタン酸１，１−ジメチル−２−フェニルエチル等の化学物質が挙げられる。これらは単独で用いても、複数を組み合わせて調合香料として用いてもよい。香料の選択は、所望の香調によって決定すればよい。
【００４０】
他方、本実施形態に係るティシュペーパー収納体１００では、図から理解されるように、芳香シート材３２を、収納箱上面１１の内側面１１ｉから長側面１３の内側面１３ｉに架けて貼付している。少なくとも収納箱上面の内側面１１ｉを含む範囲に貼付することで、図６に示すように、スリット開口３１ａから指を差し入れた際に、容易に芳香シート材３２に触れることができる。特に、収納箱上面の内側面１１ｉであれば使用開始直後のティシュペーパー束２の上面と収納箱上面の内側面１１ｉが近い或いは接している状態にあっても指を差し入れて芳香シート材３２に触れることができる。また、本実施形態に係るティシュペーパー収納体１００は、ティシュペーパー２ｔの束２がポップアップ式に折り畳まれ積層されている。このポップアップ式の束は、ティシュペーパー２ｔが二つ折りされ、その折り返し片の縁が上下に隣接するティシュペーパー２ｔの折り返し内面に位置するようにして、互い違いに重ねられているため、図６に示すが如く、スリット開口３１ａから指を差し入れる際に、スリットから露出するティシュペーパーの下層に指を潜らせるように指を差し入れることができ、この場合に芳香シート材３２に直接的に指で触れずに最上面或いはその一枚下のティシュペーパーを介して、芳香シート材３２に指で加温及び刺激を与えることができる。このようにすれば、指に香料が付着しがたく、かつ、まさに使用するスリットから露出しているティシュペーパーに直接に強い香気を付与することができる。なお、このティシュペーパー束２は、マルチスタンド式、ロータリー式の既知のインターフォルダにより製造することができる。
【００４１】
さらに、図示例の如く、収納箱長手側面の内側面１３ｉに架けて芳香シート材３２を貼付することで、ある程度ティシュペーパー２ｔを引き出してティシュペーパー束２の上面位置が低くなってもティシュペーパー２ｔに近い位置で芳香シート材３２から香料を揮散させることができるようになる。
【００４２】
芳香シート材３２を箱体１０に接着するための接着剤は、スリット付きフィルム３０を接着するための接着剤と同様の既知のものが使用できる。例えば、天然ゴム系、天然ゴムラテックス系、アクリル系、ホットメルト系、ポリエステル系の粘着剤や接着剤を用いることができる。
【００４３】
他方、図２〜４及び図６に示した例では、芳香シート材を一枚収納箱内に貼付した形態であるが、本発明は芳香シート材３２は一枚に限られない。図８に示す例のように、二枚の芳香シート材を貼付するようにしてもよい。
【００４４】
なお、本実施形態に係る香り付きティシュペーパー収納体１００は、スリット付きフィルム３０と芳香シート材３２とが別のものとなっている。従来のスリット付きフィルム３０を香りを発するものとしたものでは、当該スリット付きフィルムに接着剤等で香料層を付与するためフィルムが硬くなりやすく、スリットからのティシュペーパーの引き出し性を悪化させるおそれがあるが、本発明では、スリット付きフィルムが本来担うティシュペーパーをスムーズに引き出せるようにする効果を悪化させることがないという利点も有する。
【符号の説明】
【００４５】
１００…ティシュペーパー収納体、２…ティシュペーパー束、２ｔ…ティシュペーパー、１１…収納箱（紙箱）上面、２０…開封用ミシン目線、１…収納箱、２０ａ…開封用ミシン目線で囲まれる範囲、２０Ｘ…取出口、３０…スリット付きフィルム、１０…箱体、Ｌ１…収納箱の長手縁、Ｌ２…収納箱の短手縁、Ｌ３…収納箱の高さ、１２…収納箱（紙箱）底面、１２Ａ…糊代部、１３…収納箱（紙箱）長側面、１４…収納箱（紙箱）短側面、Ｆ…フラップ、１１ｉ…収納箱（紙箱）上面の内側面、３１…スリット、３１ａ…スリット開口、３２Ａ…ゼラチンゲル、１３ｉ…収納箱（紙箱）長手側面の内側面、３２…芳香シート材、３２ｍ…香料含有マイクロカプセル、３２Ｂ，３２Ｃ…フィルムシート、３２ｅ…熱融着部、Ｘ…加温部分。
【手続補正２】
【補正対象書類名】特許請求の範囲
【補正対象項目名】全文
【補正方法】変更
【補正の内容】
【特許請求の範囲】
【請求項１】
上面と底面とこれらに連接する一対の長側面及び短側面とを有する直六面体形状の箱体と、この箱体に形成された開封用ミシン目線と、この開封用ミシン目線で囲まれる範囲内にスリットが位置するようにして貼付されているスリット付きフィルムとを有する収納箱に、複数のティシュペーパーが折り畳まれ積層されてなる束が収納されているティシュペーパー収納体であって、
前記スリット付きフィルムとは別に、
香料及び香料が含有された香料含有マイクロカプセルの少なくとも一方を含むゼラチンゲルがフィルムシート間にゲル密に封入され、そのフィルムシートの少なくとも一方のフィルムシートに香料透過孔が形成されて、前記香料が香料透過孔から揮散されるとともに、前記ゼラチンゲルのゾル化によって前記香料透過孔からの香料の揮散が高まる芳香シート材が、
前記香料透過孔を有するフィルムシート側がティシュペーパーの束に向けてかつ収納箱の少なくとも上面の内側面を含む範囲に貼付されている、ことを特徴とするティシュペーパー収納体。
【請求項２】
前記香料透過孔の大きさが、直径１０〜１００μｍである請求項１記載のティシュペーパー収納体。
【請求項３】
前記ゼラチンゲルが、温度３０〜４０℃でゾル化するものである請求項１又は２記載のティシュペーパー収納体。
【請求項４】
前記フィルムシートが、ポリエチレンフィルム、ポリプロピレンフィルム、ポリエチレンテレフタレートフィルム、ポリスチレンフィルム、エチレン−ビニルアルコール共重合体フィルムの何れかである請求項１〜３のティシュペーパー収納体。